(57)【要約】【課題】捩れ曲面に柔軟に対応し、取り付けや取り外しが容易なエスカレータインナーデッキを提供する。【解決手段】エスカレータインナーデッキ１は、複数の直方体のインナーデッキパネル１０を長辺方向の側面が隣接するように相互に並置し、両端をアングル材５ａ，５ｂで支持させ、長辺方向の側面に設けられた貫通孔１１に紐状の連結材１２を通し、複数のインナーデッキパネル１０を連結する。【選択図】図１
2011246217.tif 000002
【特許請求の範囲】
【請求項１】
マンコンベアの内側板とスカートガードとの間隙に設けられるインナーデッキにおいて、複数の直方体のインナーデッキパネルを長辺方向の側面が隣接するように相互に並置し、長辺方向の側面に設けられた貫通孔に紐状の連結材を通し、複数のインナーデッキパネルを連結することを特徴とするエスカレータインナーデッキ。
【請求項２】
請求項１に記載のエスカレータインナーデッキであって、連結材は、弾性材であり初期張力が導入されてインナーデッキパネル相互を連結することを特徴とするエスカレータインナーデッキ。
【請求項３】
請求項１又は２に記載のエスカレータインナーデッキであって、インナーデッキパネルは、短辺方向の側面に凹部を有し、前記凹部は、インナーデッキの両端を下方から支持するアングル材に取り付けられた突起部に嵌合して内側板とスカートガードとの間隙に固定されることを特徴とするエスカレータインナーデッキ。
【請求項４】
請求項３に記載のエスカレータインナーデッキであって、インナーデッキは、インナーデッキパネルの凹部と、アングル材の突起部との嵌合を外してインナーデッキパネルをスライドさせることで取り外すことを特徴とするエスカレータインナーデッキ。
【請求項５】
請求項１乃至４のいずれか１に記載のエスカレータインナーデッキであって、エスカレータに用いられるインナーデッキは、上部曲線部、中央部、下部曲線部の３つの部分に分割して取り付けられることを特徴とするエスカレータインナーデッキ。
【請求項６】
請求項５に記載のエスカレータインナーデッキであって、下部曲線部のインナーデッキパネルは、ハンドガードをずらすことで下方に抜き差しできることを特徴とするエスカレータインナーデッキ。
【発明の詳細な説明】
【技術分野】
【０００１】
本発明は、エスカレータインナーデッキに係り、特に、マンコンベアの内側板とスカートガードとの間隙に設けられるエスカレータインナーデッキに関する。
【背景技術】
【０００２】
例えば、エスカレータ、或いは歩く歩道などの所謂マンコンベアにおいて、透明強化ガラスからなる内側板と踏段に対向するスカードガードとの間隙を塞ぐためにインナーデッキが用いられる。このインナーデッキは、マンコンベアの点検時には、取り外されて内部の機器、例えば、駆動チェーンなどが点検され、点検が終了すると元の位置に取付けられる。或いは、内部の機器の故障時には、インナーデッキが取り外された後にスカートガードが取り外されて機器の修理や交換が行われる。
【０００３】
図５に、従来のエスカレータのインナーデッキを断面図で示す。インナーデッキ１００は、エスカレータの内側板１０２と踏段１０４に対向するスカードガード１０３との間隙を内側板１０２からスカートガード１０３に向かって下がるように傾斜して塞ぐ。これは、インナーデッキ１００を傾斜させずに平らにすると子供などがインナーデッキ１００上に乗り上がり危険であるなどの理由からである。このため、エスカレータの曲線部では、インナーデッキ１００面は捩れた曲面となる。
【０００４】
また、インナーデッキ１００は、内側板１０２側でチャンネル材１０６やビス１０８により固定され、スカートガード１０３側では、アングル材１０５や皿ビス１０７により固定される。エスカレータの点検や修理の際には、これらの接合手段を外してインナーデッキ１００が外される。また、インナーデッキ１００は、エスカレータの点検や修理が終了すると元に位置に再度取付けられる。
【０００５】
図６に、他の形式の従来のエスカレータのインナーデッキを断面図で示す。インナーデッキ２００は、エスカレータの内側板２０２と踏段２０４に対向するスカードガード２０３との間隙に取り付けられる。この形式では、インナーデッキ２００は、アングル材２０５にビス２０８で固定され、内側板２０２との間にインナーパッキンカバー２０９が嵌合される。また、インナーデッキ２００は、スカートガード２０３とも嵌合により固定される。すなわち、ビス２０８を用いることなくインナーデッキ２００を取り付ける方法である。
【０００６】
一方、特許文献１には、ビスを用いることなく、容易に能率よくインナーデッキを所定の位置に取り付けて固定するマンコンベアのインナーデッキ取付け装置が開示されている。ここでは、デッキ支持部に弾性変形可能な押え部を有する押え部材を設け、インナーデッキをデッキ支持部およびスカートガードパネルの上にスライド可能に配置させ、このインナーデッキをスライドしてその一部を押え部材の押え部の下側にその弾性力に抗して進入させてその押え部の弾性的な押圧力でインナーデッキを固定することが記載されている。
【先行技術文献】
【特許文献】
【０００７】
【特許文献１】特開２００１−１３０８５９号公報
【発明の概要】
【発明が解決しようとする課題】
【０００８】
図５及び図６に示された従来のインナーデッキは、傾斜した板材からなり、例えば、エスカレータの曲線部では面が捩れるため板材の加工が難しく、時間や手間がかかってしまうという問題があった。
【０００９】
また、図５の従来のインナーデッキは、点検や修理の際には、多数のビスを外したり取り付けたりしなければならず、時間や手間がかかるという問題があった。図６の従来のインナーデッキは、嵌合された板を、薄板片を使用してめくり上げるようにして外さなければならず、時間や手間がかかるという問題があった。
【００１０】
本願の目的は、かかる課題を解決し、捩れ曲面に柔軟に対応し、取り付けや取り外しが容易なエスカレータインナーデッキを提供することである。
【課題を解決するための手段】
【００１１】
上記目的を達成するため、本発明に係るエスカレータインナーデッキは、マンコンベアの内側板とスカートガードとの間隙に設けられるインナーデッキにおいて、複数の直方体のインナーデッキパネルを長辺方向の側面が隣接するように相互に並置し、長辺方向の側面に設けられた貫通孔に紐状の連結材を通し、複数のインナーデッキパネルを連結することを特徴とする。
【００１２】
上記構成により、エスカレータインナーデッキは、複数のインナーデッキパネルが紐状の連結材により連結されることから、捩れ曲面となる場合のインナーデッキに対して柔軟に対応することができる。すなわち、紐状の連結材は捩れ剛性が極めて低く、連結材により連結されたインナーデッキパネル同士は、相互に捩れの位置関係を採ることができる。従って、例えば、エスカレータの曲面に自在に馴染ませることが可能となる。
【００１３】
また、エスカレータインナーデッキは、連結材が、弾性材であり初期張力が導入されてインナーデッキパネル相互を連結することが好ましい。これにより、インナーデッキパネル同士は、連結材の復元力により密着し、インナーデッキパネル間の隙間に物が挟まったり、落下したりすることが防止できる。
【００１４】
また、エスカレータインナーデッキは、インナーデッキパネルが、短辺方向の側面に凹部を有し、前記凹部は、インナーデッキの両端を下方から支持するアングル材に取り付けられた突起部に嵌合して内側板とスカートガードとの間隙に固定されることが好ましい。これにより、インナーデッキパネルは、その凹部とアングル材の突起部との嵌合により上方へ外れることが防止できる。
【００１５】
また、エスカレータインナーデッキは、インナーデッキが、インナーデッキパネルの凹部と、アングル材の突起部との嵌合を外してインナーデッキパネルをスライドさせることで取り外すことが好ましい。これにより、インナーデッキパネルは、インナーデッキの取り付けや取り外しが容易になる。
【００１６】
また、エスカレータに用いられるインナーデッキは、上部曲線部、中央部、下部曲線部の３つの部分に分割して取り付けられることが好ましい。これにより、特に点検時の取り外しが頻繁な曲線部において容易に取り外すことができる。
【００１７】
また、エスカレータインナーデッキは，下部曲線部のインナーデッキパネルが、ハンドガードをずらすことで下方に抜き差しできることが好ましい。これにより、インナーデッキの取り付けや取り外しが容易になる。
【発明の効果】
【００１８】
以上のように、本発明に係るエスカレータインナーデッキによれば、捩れ曲面に柔軟に対応し、取り付けや取り外しが容易なエスカレータインナーデッキを提供することができる。
【図面の簡単な説明】
【００１９】
【図１】本発明に係るエスカレータインナーデッキの１つの実施形態の概略構成を示す断面図である。
【図２】インナーデッキパネルの構成を示す斜視図である。
【図３】インナーデッキの分割を示す平面図及び断面図である。
【図４】エスカレータインナーデッキの取り外しの具体例を示す説明図である。
【図５】従来のインナーデッキの概略構成を示す断面図である。
【図６】従来の他のインナーデッキの概略構成を示す断面図である。
【発明を実施するための形態】
【００２０】
以下に、図面を用いて本発明に係るエスカレータインナーデッキの実施形態につき、詳細に説明する。
【００２１】
図１に、本発明に係るエスカレータインナーデッキ１の１つの実施形態の概略構成を示す。図１（ａ）には、エスカレータインナーデッキ１全体の断面を示し、図１（ｂ）には、インナーデッキパネル１０とアングル材５ａとの接合部の部分拡大断面を示す。また、図２に、インナーデッキパネル１０の構成を示す。図２（ａ）は、並置されたインナーデッキパネル１０の平面を示し、図２（ｂ）は、図２（ａ）のＡ−Ａ断面を示す。
【００２２】
図１に示すように、インナーデッキ１は、複数のインナーデッキパネル１０から構成され、エスカレータの内側板２と踏段４に対向するスカードガード３との間隙を内側板２からスカートガード３に向かって下がるように傾斜して塞ぐ。そして、インナーデッキパネル１０は、２つのアングル材５ａ，５ｂにより支持される。このインナーデッキパネル１０の傾きによりアングル材５ａ，５ｂとの接合部に三角形の断面を有する間隙ができるが、この間隙には弾性ゴムからなる緩衝材１５が設けられる。アングル材５ｂとスカートガード３とは、アングル材５ｂから下方に突出した嵌合片１６と、スカートガード３の上部とが嵌合により接続される。
【００２３】
図２に示すように、インナーデッキ１は、複数の直方体のインナーデッキパネル１０を長辺方向の側面が隣接するように相互に並置して構成される。そして、長辺方向の側面に設けられた貫通孔１１に紐状の連結材１２を通して複数のインナーデッキパネル１０を連結する。このインナーデッキパネル１０は、例えば、ポリウレタンなどの樹脂製であり、連結材１２は、例えば、弾性ゴムのような高分子化合物が用いられるが、これに限らず、紐状の材料であれば良い。この連結材１２には、初期張力が導入されてインナーデッキパネル１０相互を連結する。これにより、インナーデッキパネル１０同士は、連結材１２の復元力により密着し、インナーデッキパネル１０間の隙間に物が挟まったり、落下したりすることが防止できる。
【００２４】
インナーデッキパネル１０は、短辺方向の側面に凹部１３を有し、この凹部１３は、インナーデッキパネル１０の両端を下方から支持するアングル材５ａ，５ｂに取り付けられた突起部１４に嵌合して内側板２とスカートガード３との間隙に固定される。これにより、インナーデッキパネル１０の凹部１３とアングル材５ａ，５ｂの突起部１４との嵌合により、インナーデッキパネル１０が上方へ外れることが防止できる
【００２５】
この構成により、エスカレータインナーデッキ１は、複数のインナーデッキパネル１０が紐状の連結材１２により連結されることから、捩れ曲面となる場合のインナーデッキ１に対して柔軟に対応することができる。すなわち、紐状の連結材１２は捩れ剛性が極めて低く、連結材１２により連結されたインナーデッキパネル１０同士は、相互に捩れの位置関係を採ることができる。従って、例えば、エスカレータの曲面に自在に馴染ませることが可能となる。
【００２６】
図３に、エスカレータに用いられるインナーデッキ１の分割を示す。また、図４に、エスカレータインナーデッキ１の取り外しの具体例を示す。インナーデッキ１は、インナーデッキパネル１０の凹部１３と、アングル材５ａ，５ｂの突起部１４との嵌合を外してインナーデッキパネル１０をスライドさせることで取り外すことができる。そして、図３に示すように、インナーデッキ１は、上部曲線部（Ｙ２）、中央部（Ｘ）、下部曲線部（Ｙ１）の３つの部分に分割して取り付けられる。例えば、図４に示すように、下部曲線部（Ｙ１）のインナーデッキパネル１０は、ハンドガード１７をずらすことで下方に抜き差しできる。これにより、インナーデッキ１を容易に取り外すことができる。
【符号の説明】
【００２７】
１，１００，２００  （エスカレータ）インナーデッキ、２，１０２，２０２  内側板、３，１０３，２０３  スカートガード、４，１０４，２０４  踏段、５ａ，５ｂ，１０５，２０５  アングル材、１０  インナーデッキパネル、１１  貫通孔、１２  連結材、１３  凹部、１４  突起部、１５  緩衝材、１６  嵌合片、１７  ハンドガード、１８  嵌合部、１０６  チャンネル材、１０７  皿ビス、１０８，２０８  ビス、２０９  インナーパッキンカバー。
【図１】
2011246217.tif 000003
【図２】
2011246217.tif 000004
【図３】
2011246217.tif 000005
【図４】
2011246217.tif 000006
【図５】
2011246217.tif 000007
【図６】
2011246217.tif 000008